【手続補正書】
【提出日】平成25年8月19日(2013.8.19)
【手続補正１】
【補正対象書類名】特許請求の範囲
【補正対象項目名】全文
【補正方法】変更
【補正の内容】
【特許請求の範囲】
【請求項１】
施療機は、被施療者を拘束する拘束ユニットを有し、
拘束ユニットは、本体部と、本体部が移動可能なフレームと、前記本体部を前後方向に駆動する前後駆動装置と、を有し、
前記本体部は、ベース部と、前記ベース部に対して前後方向の動作成分を有して前後往復動作する可動部と、前記可動部に設けられた被施療者の脛を拘束する拘束部と、を有することを特徴とする施療機。
【請求項２】
前記施療機は、足を保持するストレッチユニットを有し、
拘束ユニットの前後駆動装置は、前記本体部を前記ストレッチユニットに対して近接する方向と離反する方向へ移動させることを特徴とする請求項１に記載の施療機。
【請求項３】
前記ストレッチユニットは、被施療者の足裏を載せる足載せ面を有する足裏部材と、
前記足裏部材を揺動させる駆動装置を有していることを特徴とする請求項２に記載の施療機。
【請求項４】
前記施療機は、前記ストレッチユニット及び拘束ユニットを制御する制御装置を有し、
前記制御装置は、前記ストレッチユニットの足裏部材を揺動させた状態で、前記拘束ユニットの本体部が前記ストレッチユニットに近接又は離反させる制御を行うことを特徴とする請求項３に記載の施療機。
【請求項５】
前記制御装置は、前記ストレッチユニットの足裏部材のつま先側を後方へ移動させている状態とし、被施療者の施療部を拘束した前記拘束ユニットの本体部をストレッチユニットから離れる方向へ移動させることを特徴とする請求項４に記載の施療機。
【請求項６】
前記制御装置は、前記ストレッチユニットの足裏部材のつま先側を前方へ移動させている状態とし、被施療者の施療部を拘束した前記拘束ユニットの本体部をストレッチユニットから接近する方向へ移動させることを特徴とする請求項４に記載の施療機。
【手続補正２】
【補正対象書類名】明細書
【補正対象項目名】０００１
【補正方法】変更
【補正の内容】
【０００１】
本発明は、被施療者の脛を移動しながら擦ったり、被施療者の脛を伸ばしたりできる施療機に関する。
【手続補正３】
【補正対象書類名】明細書
【補正対象項目名】０００２
【補正方法】変更
【補正の内容】
【０００２】
例えば飛行機内で長時間にわたって同じ姿勢で座っていると、静脈血栓塞栓症を起こす危険性が高くなることが知られているが、その予防策として、足を動かすことが有効である。そこで、被施療者の足を強制的に動かすことのできる装置の開発が望まれており、例えば、特許文献１に記載されたものがある。しかし、この装置では、足首の関節から先の足を、脛に対して後方に屈する方向（アキレス腱が伸びる方向）に運動させることはできても、その反対である足を前方へ伸ばす方向に運動させることはできない。また、被施療者の脛を擦ることもできず、脛を擦りながら移動することもできない。
【手続補正４】
【補正対象書類名】明細書
【補正対象項目名】０００６
【補正方法】変更
【補正の内容】
【０００６】
そこで本発明は、脛を擦り、脛を擦りながら移動する施療機を提供することを目的とする。
【手続補正５】
【補正対象書類名】明細書
【補正対象項目名】０００７
【補正方法】変更
【補正の内容】
【０００７】
本発明は、施療機は、被施療者を拘束する拘束ユニットを有し、拘束ユニットは、本体部と、本体部が移動可能なフレームと、前記本体部を前後方向に駆動する前後駆動装置と、を有し、前記本体部は、ベース部と、前記ベース部に対して前後方向の動作成分を有して前後往復動作する可動部と、前記可動部に設けられた被施療者の脛を拘束する拘束部と、を有することを特徴とする。
【手続補正６】
【補正対象書類名】明細書
【補正対象項目名】０００８
【補正方法】変更
【補正の内容】
【０００８】
本発明によれば、拘束部により脛が拘束され、可動部がベース部に対して前後方向の動作成分を有して前後往復動作するので、施療部に対して擦り施療を行うことが可能であり、前後駆動装置によって、施療部を擦りながら移動することが可能となる。
【手続補正７】
【補正対象書類名】明細書
【補正対象項目名】０００９
【補正方法】変更
【補正の内容】
【０００９】
なお、本明細書等において、中立位置とは、膝から足首までの脚の長手方向と、足首から先にある足の長手方向（足裏の長手方向）とが、直交する状態となる位置である。また、後方及び前方は、被施療者の伸ばした脚の長手方向に沿った方向であり、後方は、脚全体を伸ばした被施療者の腰側の方向であり、前方とは、その反対の方向である。
さらに、本明細書等では、足首の関節からつま先までを「足」、当該関節から膝側を「脚」と区別している。
【手続補正８】
【補正対象書類名】明細書
【補正対象項目名】００１０
【補正方法】変更
【補正の内容】
【００１０】
また、前記施療機は、足を保持するストレッチユニットを有し、拘束ユニットの前後駆動装置は、前記本体部を前記ストレッチユニットに対して近接する方向と離反する方向へ移動させることが好ましい。
この場合、拘束ユニットをストレッチユニットに対して近接する方向と離反する方向へ移動させるので、足を保持し、脛を伸ばす動作や、擦り動作を移動しながら行うことが可能である。
【手続補正９】
【補正対象書類名】明細書
【補正対象項目名】００１１
【補正方法】変更
【補正の内容】
【００１１】
また、前記ストレッチユニットは、被施療者の足裏を載せる足載せ面を有する足裏部材と、前記足裏部材を揺動させる駆動装置を有していることが好ましい。
この場合、足裏部材を揺動させることで、被施療者の足首の関節を屈伸させることが可能である。
【手続補正１０】
【補正対象書類名】明細書
【補正対象項目名】００１２
【補正方法】変更
【補正の内容】
【００１２】
また、前記施療機は、前記ストレッチユニット及び拘束ユニットを制御する制御装置を有し、前記制御装置は、前記ストレッチユニットの足裏部材を揺動させた状態で、前記拘束ユニットの本体部が前記ストレッチユニットに近接又は離反させる制御を行うことが好ましい。
この場合、ストレッチユニットの足裏部材の揺動動作に合わせて、拘束ユニットをストレッチユニットに近接又は離反させるので、足を屈伸させる運動をより効果的に行うことが可能である。
【手続補正１１】
【補正対象書類名】明細書
【補正対象項目名】００１３
【補正方法】変更
【補正の内容】
【００１３】
また、前記制御装置は、前記ストレッチユニットの足裏部材のつま先側を後方へ移動させている状態とし、被施療者の施療部を拘束した前記拘束ユニットの本体部をストレッチユニットから離れる方向へ移動させることが好ましい。
この場合、ストレッチユニットにより、被施療者の足を後方に屈する運動が行われアキレス腱を伸ばすことが可能であり、拘束ユニットをストレッチユニットから離れる方向へ移動させるので、被施療者の足及び脚において、心臓に遠い部位から近い部位へ向かって施療箇所が移動するいわゆる求心法による施療が行われ、血液循環の促進が図れる。
【手続補正１２】
【補正対象書類名】明細書
【補正対象項目名】００１４
【補正方法】変更
【補正の内容】
【００１４】
また、前記制御装置は、前記ストレッチユニットの足裏部材のつま先側を前方へ移動させている状態とし、被施療者の施療部を拘束した前記拘束ユニットの本体部をストレッチユニットから接近する方向へ移動させることが好ましい。
この場合、ストレッチユニットにより、被施療者の足を前方へ伸ばす運動が可能であり、拘束ユニットをストレッチユニットに接近させるので、被施療者の足及び脚において、心臓に近い部位から遠い部位へ向かって施療箇所が移動するいわゆる遠心法による施療が行われ、血液循環の促進が図れる。
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】変更
【補正の内容】
【００１６】
本発明によれば、被施療者の脛を擦り、脛を擦りながら移動することが可能となる。